(57)【要約】【課題】  簡単な構成で、地図上のルートの距離を高い精度で知ることができるデジタルカメラを提供する。【解決手段】  複数のルートおよび縮尺情報２０２が記入された地図２００を被写体として撮影して得られた画像データからなる画像を液晶モニタ２８に表示し、その画面上で始点Ａ，終点Ｂをズームボタン２６、ＭＥＮＵ／ＯＫボタン２９で指定してルート２０１を特定するとともに縮尺情報および平均移動速度を入力し、ルート２０１の距離および所要時間を求めて液晶モニタ２８に表示する。【選択図】        図４
2005062048.tif 000002
【特許請求の範囲】
【請求項１】
被写体光を捉えて画像データを生成するデジタルカメラにおいて、
地図の縮尺情報を入力する縮尺入力手段と、
ルートが記入された地図を被写体とした画像データと、前記縮尺入力手段で入力された縮尺情報とに基づいて前記ルートの距離を計測する計測手段と、
前記計測手段で計測した距離を表示する表示手段とを備えたことを特徴とするデジタルカメラ。
【請求項２】
平均移動速度を入力する速度入力手段を備え、
前記計測手段は、前記ルートの距離の計測に加え、該ルートに沿って移動したときの所要時間を予測するものであることを特徴とする請求項１記載のデジタルカメラ。
【請求項３】
前記計測手段は、複数のルートが記入された地図を被写体とした画像データから該複数のルートそれぞれの距離を計測するものであり、前記表示手段は、該複数のルートのうちの最短のルートの距離を表示するとともに、該最短のルートを他のルートと区別して表示するものであることを特徴とする請求項１記載のデジタルカメラ。
【請求項４】
前記縮尺入力手段は、写し込まれた地図上の距離マークの始点および終点を指定する手段を有するものであることを特徴とする請求項１記載のデジタルカメラ。
【発明の詳細な説明】
【技術分野】
【０００１】
本発明は、被写体光を捉えて画像データを生成するデジタルカメラに関する。
【背景技術】
【０００２】
従来より、現在地から目的地までに至るルート（経路）を地図情報上に表示させるルート案内機能を備えた表示システムが知られている。例えば、デジタルカメラおよびＧＰＳ受信機能が内蔵された携帯端末と、カーナビゲーション装置を備え、上記デジタルカメラで撮影して得られた画像データやＧＰＳデータ等に基づいた地図情報を携帯端末で生成してカーナビゲーション装置に送信し、これによりカーナビゲーション装置が現在地から目的地までのルートを割り出して携帯端末に転送することで、携帯端末上に現在地から目的地までのルートを含んだ地図情報を表示する表示システムが提案されている（特許文献１参照）。この表示システムによれば、ユーザは、地図情報に記された現在地から目的地までのルートを認識することができる。
【特許文献１】特開２００１−３４９７３６号公報
【発明の開示】
【発明が解決しようとする課題】
【０００３】
しかし、特許文献１に提案された表示システムは、デジタルカメラおよびＧＰＳ受信機能が内蔵された携帯端末と、カーナビゲーション装置とを備えたものであるため、構成が複雑であるという問題がある。また、地図情報に記された現在地から目的地までのルートを表示させるものであるため、ユーザはそのルートを認識することはできるものの、そのルートの距離は推定するにとどまり、従ってそのルートの距離を高い精度で知ることは困難である。
【０００４】
本発明は、上記事情に鑑み、簡単な構成で、地図上のルートの距離を高い精度で知ることができるデジタルカメラを提供することを目的とする。
【課題を解決するための手段】
【０００５】
上記目的を達成する本発明のデジタルカメラは、被写体光を捉えて画像データを生成するデジタルカメラにおいて、
地図の縮尺情報を入力する縮尺入力手段と、
ルートが記入された地図を被写体とした画像データと、上記縮尺入力手段で入力された縮尺情報とに基づいて上記ルートの距離を計測する計測手段と、
上記計測手段で計測した距離を表示する表示手段とを備えたことを特徴とする。
【０００６】
本発明のデジタルカメラは、ルートが記入された地図を被写体とした画像データと、縮尺入力手段で入力された縮尺情報とに基づいて上記ルートの距離を計測し、計測された距離を表示手段で表示するものであるため、上記特許文献１に提案されたルートの距離を推定する技術と比較し、地図上のルートの距離を高い精度で知ることができる。また、上記縮尺入力手段や表示手段は、後述する実施形態に示すように、デジタルカメラの機能として標準装備されるものを兼用すればよく、従って本発明の実現にあたり、簡単な構成で済む。
【０００７】
ここで、平均移動速度を入力する速度入力手段を備え、
上記計測手段は、上記ルートの距離の計測に加え、そのルートに沿って移動したときの所要時間を予測するものであることが好ましい。
【０００８】
このようにすると、ユーザは、ルートの距離に加えてそのルートの所要時間も知ることができる。
【０００９】
また、上記計測手段は、複数のルートが記入された地図を被写体とした画像データからそれら複数のルートそれぞれの距離を計測するものであり、上記表示手段は、それら複数のルートのうちの最短のルートの距離を表示するとともに、その最短のルートを他のルートと区別して表示するものであることも好ましい態様である。
【００１０】
このようにすると、複数のルートそれぞれの距離を高い精度で知ることができるとともに、それら複数のルートのうちの最短のルートおよびその距離を即座に知ることができる。
【００１１】
さらに、上記縮尺入力手段は、写し込まれた地図上の距離マークの始点および終点を指定する手段を有するものであることも好ましい。
【００１２】
このようにすると、所望のルートの距離を高い精度で知ることができる。
【発明の効果】
【００１３】
本発明のデジタルカメラによれば、簡単な構成で、地図上のルートの距離を高い精度で知ることができる。
【発明を実施するための最良の形態】
【００１４】
以下、本発明の実施形態について説明する。
【００１５】
図１は、本発明の第１実施形態のデジタルカメラを前面斜め上から見た外観斜視図である。
【００１６】
図１に示すデジタルカメラ１は、被写体光を捉えて画像データを生成するデジタルカメラであり、このデジタルカメラ１の前面中央部には、光学ズームレンズである撮影レンズ１１ａを内部に備えたズーム鏡胴１１が備えられている。また、このデジタルカメラ１の前面上部には、撮影に同期してフラッシュ光を発するフラッシュ発光装置１２と、フラッシュ発光装置１２からのフラッシュ光の光量を制御するためにそのフラッシュ光の光量を検出するフラッシュ調光センサ１３と、光学式ファインダ対物窓１４とが備えられている。
【００１７】
また、このデジタルカメラ１の前面左側には、スライド式の電源スイッチ１５と、電源スイッチを１５を投入した時点で点灯したりセルフタイマ作動時に点滅したりするイルミネーションランプ１６が備えられている。
【００１８】
さらに、このデジタルカメラ１の上面には、シャッタボタン１７および音声をピックアップするマイクロホン１８が備えられている。
【００１９】
また、このデジタルカメラ１の図１に示す右側面には、スピーカ１９、撮影済みの画像データをパーソナルコンピュータなどに送信するときに使用されるＵｎｉｖｅｒｓａｌ  Ｓｅｒｉａｌ  Ｂｕｓ（ＵＳＢ）ケーブルが接続されるＵＳＢ端子２０、および外部電源端子２１が備えられている。
【００２０】
図２は、図１に示すデジタルカメラを背面斜め上から見た外観斜視図である。
【００２１】
図２に示すデジタルカメラ１の背面上部には、光学式ファインダ接眼窓２２と、撮影準備完了等に点灯したり撮影中に点滅したりするファインダランプ２３と、静止画モード，再生モード，動画撮影モードを切り換えるモードスイッチ２４とが備えられている。また、モードスイッチ２４の右側には、マクロボタン２５と、ズームボタン２６と、フラッシュボタン２７とが備えられている。
【００２２】
マクロボタン２５は、マクロ撮影を行なうか否かを切り換えるボタンであり、一度押下するとマクロ撮影モードとなり、再度押下するとマクロ撮影モードが解除される。
【００２３】
ズームボタン２６は、上方に向けて押下することにより望遠側（テレ側）にズームアップするとともに下方に向けて押下することにより広角側（ワイド側）にズームダウンするボタンである。また、このズームボタン２６は、単に押下することにより、後述する液晶モニタ２８に表示される各種のメニューを選択するボタンである。さらに、このズームボタン２６は、詳細は後述するが、本発明にいう地図の縮尺情報を入力するとともに写し込まれた地図上の距離マークの始点および終点を指定する縮尺入力手段、および本発明にいう平均移動速度を入力する速度入力手段の役割を担うものでもある。
【００２４】
フラッシュボタン２７は、押下する毎に、オートフラッシュ→赤目低減フラッシュ→強制フラッシュ→フラッシュ禁止→スローシャッタでのフラッシュ→オートフラッシュというようにフラッシュの状態を繰り返し切り換えるためのボタンである。
【００２５】
また、デジタルカメラ１の背面中央部には、液晶モニタ２８と、ＭＥＮＵ／ＯＫボタン２９と、ＢＡＣＫボタン３０と、ＤＩＳＰボタン３１と、フォトモードボタン３２とが備えられている。
【００２６】
液晶モニタ２８は、本発明にいう表示手段の役割を担うものであり、この液晶モニタ２８は、デジタルカメラ１で被写体光を捉えて生成された画像データからなる画像、種々の設定時における情報、および後述する距離やルートを表示する。
【００２７】
ＭＥＮＵ／ＯＫボタン２９は、撮影時や再生時における各種のメニューを表示したり、上記ズームボタン２６により選択されたメニューを決定するためのボタンである。
【００２８】
ＢＡＣＫボタン３０は、ＭＥＮＵ／ＯＫボタン２９等による操作状態を１つ前に戻したり取り消したりするためのボタンである。
【００２９】
ＤＩＳＰボタン３１は、液晶モニタ２８に表示された画面の状態を切り換えるためのボタンであり、例えば撮影時に液晶モニタ２８の表示をオン，オフしたり、再生時に文字表示をオン，オフしたりするためのボタンである。
【００３０】
フォトモードボタン３２は、ピクセル数，感度，色味，プリント枚数等を設定するためのボタンである。
【００３１】
さらに、デジタルカメラ１の背面下部には、バッテリおよびメモリカードを収容する収容蓋３３が備えられている。また、このデジタルカメラ１の側面部には、ストラップ取付部３４も備えられている
図３は、図１に示すデジタルカメラの回路構成を示すブロック図である。
【００３２】
このデジタルカメラ１には、前述した撮影レンズ１１ａと、その撮影レンズ１１ａを経由して結像された被写体像をアナログの画像信号に変換する撮像素子４１が備えられている。
【００３３】
また、このデジタルカメラ１には、撮像素子４１からのアナログの画像信号をアナログ処理するアナログ信号処理部４２と、そのアナログ信号処理部４２で処理されたアナログの画像信号をデジタルの画像信号にＡ／Ｄ変換するＡ／Ｄコンバータ４３と、そのＡ／Ｄコンバータ４３からの画像信号をデジタル処理するデジタル信号処理部４４とが備えられている。
【００３４】
さらに、このデジタルカメラ１には、上記デジタル信号処理部４４におけるデジタル処理に必要なプログラムデータが格納されたＲＯＭ４５と、そのデジタル信号処理部４４とのやり取りを行なうＣＰＵ４６と、露出制御用およびフォーカシング制御用の情報をＣＰＵ４６に向けて出力するＡＥ／ＡＦ部４７と、上述したズームボタン２６等からなる操作部４８と、前述したシャッタボタン１７とが備えられている。また、上記ＣＰＵ４６は、本発明にいう計測手段の役割を担うものである。詳細については後述する。
【００３５】
また、このデジタルカメラ１には、デジタル信号処理部４４からの画像データを格納するとともに格納された画像データをデジタル信号処理部４４に向けて出力するメモリ４９と、デジタル信号処理部４４からの画像データが格納されるメモリカード５０と、デジタル信号処理部４４からの画像データをパーソナルコンピュータ１００に送信するためのＩ／Ｆ部５１と、前述した液晶モニタ２８とが備えられている。
【００３６】
このように構成されたデジタルカメラ１は、ルートが記入された地図を被写体として撮影して画像データを生成し、次いでズームボタン２６およびＭＥＮＵ／ＯＫボタン２９を操作してその画像データからなる画像が表わすルートの始点および終点を指定し、さらに縮尺情報および平均移動速度を入力し、上記ルートの距離および所要時間をＣＰＵ４６で求めて液晶モニタ２８に表示するカメラである。以下、詳細に説明する。
【００３７】
図４は、図１に示すデジタルカメラでルートが記入された地図を被写体として撮影する様子を示した図である。
【００３８】
図４に示す地図２００には、複数のルートおよび縮尺情報２０２（ここでは２０００ｍ）が記入されている。ここでは、現在地である始点Ａから目的地である終点Ｂまでのルート２０１の距離および所要時間を液晶モニタ２８に表示する場合について説明する。
【００３９】
先ず、デジタルカメラ１でこの地図２００を被写体として撮影して画像データを生成する。液晶モニタ２８には、生成された画像データからなる画像で表わされる地図２００が表示される。ここで、ズームボタン２６およびＭＥＮＵ／ＯＫボタン２９を操作して、始点Ａと終点Ｂを指定してルート２０１を特定する。また、デジタルカメラ１には、図３に示す、本発明にいう計測手段の役割を担うＣＰＵ４６が備えられている。このＣＰＵ４６は、上記画像データと、本発明にいう縮尺入力手段であるズームボタン２６で入力された縮尺情報とに基づいてルート２０１の距離を計測する。縮尺情報は、以下のようにして入力される。
【００４０】
図５は、縮尺情報を入力するための液晶モニタの画面を示す図である。
【００４１】
先ず、ズームボタン２６およびＭＥＮＵ／ＯＫボタン２９を操作して、液晶モニタ２０に、図５に示す画面２８ａを表示する。この画面２８ａには、縮尺情報２０２（標記の長さ）として、２０００ｍ，１０００ｍ，５００ｍの文字が表示されている。ここで、ズームボタン２６を操作して２０００ｍの文字を選択してＭＥＮＵ／ＯＫボタン２９を押下する。これにより、２０００ｍの縮尺情報が入力される。ＣＰＵ４６は、前述した画像データと、この２０００ｍの縮尺情報とに基づいて、ルート２０１の距離を計測する。
【００４２】
図６は、平均移動速度を入力するための液晶モニタの画面を示す図である。
【００４３】
先ず、ズームボタン２６およびＭＥＮＵ／ＯＫボタン２９を操作して、液晶モニタ２８に、図６に示す画面２８ｂを表示する。この画面２８ｂには、平均移動速度として６ｋｍ／ｈ，５ｋｍ／ｈ，４ｋｍ／ｈの文字が表示されている。尚、ズームボタン２６は、前述したように、本発明にいう平均移動速度を入力する速度入力手段の役割をも担うものである。ここで、ズームボタン２６を操作して、ここでは６ｋｍ／ｈの文字を選択してＭＥＮＵ／ＯＫボタン２９を押下する。これにより平均移動速度として時速６ｋｍ／ｈが入力される。ＣＰＵ４６は、ルート２０１の距離と、この時速６ｋｍ／ｈの平均移動速度とに基づいて、ルート２０１の所要時間を予測する。このようにして、ルート２０１の距離の計測に加え、ルート２０１に沿って移動したときの所要時間を予測する。これらルート２０１の距離および所要時間は、液晶モニタ２８に表示される。
【００４４】
本実施形態のデジタルカメラ１は、先ず、地図２００を被写体として撮影して得られた画像データからなる画像を液晶モニタ２８に表示し、ズームボタン２６およびＭＥＮＵ／ＯＫボタン２９によりルート２０１を特定し、次いでズームボタン２６およびＭＥＮＵ／ＯＫボタン２９により縮尺情報および平均移動速度を入力し、上記ルート２０１の距離および所要時間をＣＰＵ４６で求めて液晶モニタ２８に表示するものであるため、ユーザはそのルート２０１の距離および所要時間を高い精度で知ることができる。ここで、上記縮尺情報および平均移動速度を入力するために必要なズームボタン２６、ＭＥＮＵ／ＯＫボタン２９、およびルート２０１の距離や所要時間を表示するための液晶モニタ２８は、一般に、通常のデジタルカメラの機能として装備されるものであるため、新たな機構は不要であり、従って簡単な構成で済む。
【００４５】
次に、本発明の第２実施形態のデジタルカメラについて説明する。尚、第２実施形態のデジタルカメラの外観図および回路構成図は、第１実施形態のデジタルカメラ１の外観図および回路構成図と同じであるため、図示省略する。第２実施形態のデジタルカメラは、第１実施形態のデジタルカメラ１と比較し、ＣＰＵ４６，液晶モニタ２８，ズームボタン２６の機能が異なっている。
【００４６】
第２実施形態のデジタルカメラにおけるＣＰＵ４６は、複数のルートが記入された地図を被写体とした画像データからそれら複数のルートそれぞれの距離を計測するものである。また、第２実施形態のデジタルカメラにおける液晶モニタ２８は、複数のルートのうちの最短のルートの距離を表示するとともに、その最短のルートを他のルートと区別して表示するものである。ここでは、最短のルートの距離およびその最短のルートは赤色で表示されるものとして説明する。
【００４７】
図７は、本発明の第２実施形態のデジタルカメラにおける、色情報を入力するための液晶モニタの画面を示す図である。
【００４８】
先ず、ズームボタン２６およびＭＥＮＵ／ＯＫボタン２９を操作して、液晶モニタ２８に、図７に示す画面２８ｃを表示する。この画面２８ｃには、最短のルートおよびその距離を表示するための色として、赤，青，黄の文字が表示されている。ここでは、最短のルートおよび距離を赤色で表示するために、ズームボタン２６を操作して赤の文字を選択してＭＥＮＵ／ＯＫボタン２９を押下する。これにより、赤色の情報が入力される。
【００４９】
図８は、本発明の第２実施形態のデジタルカメラにおいて、複数のルートのうちの最短のルートおよびその距離が赤色で表示されてなる状態の液晶モニタの画面を示す図である。
【００５０】
図８に示す液晶モニタ２８の画面２８ｄには、写し込まれた地図上の距離マークの始点Ａおよび終点Ｂがズームボタン２６により指定されてなる３つのルート２１１，２１２，２１３、およびそれら３つのルート２１１，２１２，２１３の距離ａｋｍ，ｂｋｍ，ｃｋｍが表示されている。ここで、最短のルート２１１およびその距離ａｋｍは赤色で表示されている。このように表示することにより、３つのルート２１１，２１２，２１３のうちの最短のルート２１１およびその距離ａｋｍを即座に知ることができる。
【００５１】
尚、ここでは、最短のルート２１１およびその距離ａＫｍを赤色で表示する例で説明したが、これに限られるものではなく、最短のルート２１１およびその距離ａＫｍをハイライト表示、あるいは点滅表示するようにしてもよい。
【図面の簡単な説明】
【００５２】
【図１】本発明の第１実施形態のデジタルカメラを前面斜め上から見た外観斜視図である。
【図２】図１に示すデジタルカメラを背面斜め上から見た外観斜視図である。
【図３】図１に示すデジタルカメラの回路構成を示すブロック図である。
【図４】図１に示すデジタルカメラでルートが記入された地図を被写体として撮影する様子を示した図である。
【図５】縮尺情報を入力するための液晶モニタの画面を示す図である。
【図６】平均移動速度を入力するための液晶モニタの画面を示す図である。
【図７】本発明の第２実施形態のデジタルカメラにおける、色情報を入力するための液晶モニタの画面を示す図である。
【図８】本発明の第２実施形態のデジタルカメラにおいて、複数のルートが表示されてなる状態の液晶モニタの画面を示す図である。
【符号の説明】
【００５３】
１  デジタルカメラ
１１  ズーム鏡胴
１１ａ  撮影レンズ
１２  フラッシュ発光装置
１３  フラッシュ調光センサ
１４  光学式ファインダ対物窓
１５  電源スイッチ
１６  イルミネーションランプ
１７  シャッタボタン
１８  マイクロホン
１９  スピーカ
２０  ＵＳＢ端子
２１  外部電源端子
２２  光学式ファインダ接眼窓
２３  ファインダランプ
２４  モードスイッチ
２５  マクロボタン
２６  ズームボタン
２７  フラッシュボタン
２８  液晶モニタ
２８ａ，２８ｂ，２８ｃ，２８ｄ  液晶モニタの画面
２９  ＭＥＮＵ／ＯＫボタン
３０  ＢＡＣＫボタン
３１  ＤＩＳＰボタン
３２  フォトモードボタン
３３  収容蓋
３４  ストラップ取付部
４１  撮像素子
４２  アナログ信号処理部
４３  Ａ／Ｄコンバータ
４４  デジタル信号処理部
４５  ＲＯＭ
４６  ＣＰＵ
４７  ＡＥ／ＡＦ部
４８  操作部
４９  メモリ
５０  メモリカード
５１  Ｉ／Ｆ部
１００  パーソナルコンピュータ
２００  地図
２０１，２１１，２１２，２１３  ルート
２０２  縮尺情報
【図１】
2005062048.tif 000003
【図２】
2005062048.tif 000004
【図３】
2005062048.tif 000005
【図４】
2005062048.tif 000006
【図５】
2005062048.tif 000007
【図６】
2005062048.tif 000008
【図７】
2005062048.tif 000009
【図８】
2005062048.tif 000010